(57)【特許請求の範囲】
【請求項１】
液体、流動体、粉体、粒状体等の物品を密封した２袋以上を連接した包装袋と、該包装袋と略同一寸法の保護部材とを、一体化して冊子体に添付する場合に使用するための保護部材において、前記保護部材は、前記包装袋の連接部に対応する箇所に切欠き部を有し、当該切欠き部で前後又は左右の２方向に曲がることを特徴とする保護部材。
【請求項２】
前記包装袋が２袋を連接したものである場合に使用するための保護部材であって、前記保護部材の基材部には、前記包装袋を構成する各袋の内容物の入った部分の周囲に略相当する寸法の、左右に２つずつが一列に並んだ合計４つの矩形の貫通孔と、それらの中央に位置する切欠き部の幅を有する貫通孔とが設けられており、当該基材部の上面には、該左右に２つずつの矩形の貫通孔に略合致するそれぞれ２つずつの矩形の貫通孔を有するとともに、前記包装袋の連接部に対応する箇所に天地方向に線状の切欠き部を有する主保護部が貼着されており、前記包装袋をその２袋の内容物の入った部分が前記保護部材の中央の切欠き部の幅を有する貫通孔の左右の２つの貫通孔部に現れるようにセットして前記左右の２つずつの貫通孔の間の箇所を折れ線として観音開き状の扉を閉める様に保護部材を折り畳んだ時に、前記包装袋の連接部に対応する箇所に主保護部の切欠き部が来て、当該切欠き部で前後又は左右の２方向に曲がることを特徴とする請求項１記載の保護部材。
【請求項３】
前記主保護部の前記線状の切欠き部とその両側の矩形の貫通孔との間の部分が切欠かれていることを特徴とする請求項２に記載の保護部材。
【請求項４】
請求項１乃至請求項３のいづれか一つの保護部材と包装袋を一体化したことを特徴とする包装部材。
【請求項５】
保護部材と包装袋を袋体に入れて一体化したことを特徴とする請求項４記載の包装部材。
【請求項６】
請求項４又は請求項５に記載の包装部材を添付したことを特徴とする冊子体。
【発明の詳細な説明】
【０００１】
【発明の属する技術分野】
本発明は、冊子体（例えば本、書籍、雑誌、パンフレット、カタログ、小冊子等があるが、これに限定しない）に包装部材を添付する技術に関する。
【０００２】
【従来の技術】
平成６年に日本雑誌協会が、雑誌に現物見本を添付する場合の自主基準を緩和して、化粧品、シャンプー類、石鹸、洗剤等が添付可能となり、それらの関連出願が出願されている。
特開平９−１０４４６５号には「保護材及びそれを使用した包装体」が開示されている。課題は液体、粉体、粒状体などの試供品を収納した包装袋からなる商品サンプルを雑誌等に貼り込むに際して、破袋を引き起こす積載圧を有効に軽減できる保護材及びそれを使用した包装体を提供することである。
構成は、包装袋の周辺部に略合致する外枠部分と、該外枠部分の対向部位を繋ぐ少なくとも１本の連結部分とを備えたことを特徴とする保護材であり、この保護材に前記包装袋を沿わせてフィルム袋に収納してなる包装体である。
【０００３】
また、段落番号（００２１）には「…外枠部分２１ａの短辺と連結部分２１ｂには、雑誌Ｍの天地方向に対応する方向に３本の切込み線βが形成されている。このように保護材２０に切込み線βを形成して置くことにより、読者が雑誌Ｍの携帯時等において２つに折り曲げた時に保護材２０も一緒に曲がるので都合がよい。」との記載がある。
しかし、従来技術の上記の特開平９−１０４４６５号の包装体では、保護材２０の一面にしか切込み線βが入っていないため一方向にしか曲がらない。そのため「携帯時において２つに折り曲げた時」は問題ないが、「読者が雑誌を手にとって読む時」に問題がある。
【０００４】
手にとって雑誌を読む際は、頁は雑誌の背部を中心に左右になだらかな山型になる。保護材（＝保護部材）が一方向にしか曲がらない場合、保護材が曲がることで頁がなだらかに山型になり読みやすい頁と、保護材が曲がらないことで頁も突っ張ってなだらかに曲がらない読みにくい頁が生じる。
特に、液体、流動体、粉体、粒状体等の物品の容量が大きくなると問題が顕著になる。物品が化粧品の場合、サンプルとしての容量は１〜３ｃｃ程度の少量の場合があるため包装体の面積がが小さく、一方向にしか曲がらず読みにくいという問題は存在するがそれほど顕著ではないことがある。
しかし、物品がシャンプー、リンス等の場合は１回の使用量が１０〜１５ｃｃと必ず大容量となり包装体の面積が大きくなるため、読みにくいという問題は顕著となる。そのため、従来技術ではシャンプー、リンス等大容量のサンプルを雑誌に添付することは不可能であった。
【０００５】
【発明が解決しようとする課題】
本発明は、上記問題点を解決すべく、冊子体に包装部材（＝包装体）を添付する場合に、読みにくい頁が生じない、保護部材、包装部材及び冊子体を提供することを課題とする。
【０００６】
【課題を解決するための手段】
請求項１に記載の発明は、液体、流動体、粉体、粒状体等の物品を密封した２袋以上を連接した包装袋と、該包装袋と略同一寸法の保護部材とを、一体化して冊子体に添付する場合に使用するための保護部材において、前記保護部材は、前記包装袋の連接部に対応する箇所に切欠き部を有し、当該切欠き部で前後又は左右の２方向に曲がることを特徴とする保護部材である。このように保護部材が前後又は左右の２方向に曲がるため、手にとって雑誌等の冊子体を読む際、頁が両方向になだらかに山型になり、保護部材のため突っ張ってなだらかな山型にならない頁が生じない。また、シャンプー、リンス等の大容量サンプル（特に女性や髪の毛長い人を想定して）を添付する位置（冊子体での頁位置、頁内での添付位置）も制限不要（デザイン等に合わせた自由位置）となる。
【０００７】
請求項２に記載の発明は、前記包装袋が２袋を連接したものである場合に使用するための保護部材であって、前記保護部材の基材部には、前記包装袋を構成する各袋の内容物の入った部分の周囲に略相当する寸法の、左右に２つずつが一列に並んだ合計４つの矩形の貫通孔と、それらの中央に位置する切欠き部の幅を有する貫通孔とが設けられており、当該基材部の上面には、該左右に２つずつの矩形の貫通孔に略合致するそれぞれ２つずつの矩形の貫通孔を有するとともに、前記包装袋の連接部に対応する箇所に天地方向に線状の切欠き部を有する主保護部が貼着されており、前記包装袋をその２袋の内容物の入った部分が前記保護部材の中央の切欠き部の幅を有する貫通孔の左右の２つの貫通孔部に現れるようにセットして前記左右の２つずつの貫通孔の間の箇所を折れ線として観音開き状の扉を閉める様に保護部材を折り畳んだ時に、前記包装袋の連接部に対応する箇所に主保護部の切欠き部が来て、当該切欠き部で前後又は左右の２方向に曲がることを特徴とする請求項１記載の保護部材である。このように構成したので、包装袋のシール部分に保護部材の主保護部が接触し、内容物が貫通孔部分に位置するので、冊子体の中に綴じ込んでも圧がかからず破袋等することがない。そして、包装袋の連接部に切欠き部があるので保護部材が前後又は左右の２方向に曲がり、上記の効果がある。
【０００８】
請求項３に記載の発明は、前記主保護部の前記線状の切欠き部とその両側の矩形の貫通孔との間の部分が切欠かれていることを特徴とする請求項２に記載の保護部材である。このような構成とすることにより、強度を保ちながら包装袋の印刷された部分をより見えるようにする効果がある。
【０００９】
請求項４に記載の発明は、請求項１乃至請求項３のいづれか一つの保護部材と包装袋を一体化したことを特徴とする包装部材である。
上記した保護部材と包装袋を一体化して包装部材としたので、２方向に曲がる包装部材が得られ、上記の作用効果が得られる。
【００１０】
請求項５に記載の発明は、保護部材と包装袋を袋体に入れて一体化したことを特徴とする請求項４記載の包装部材である。
保護部材と包装袋を袋体に入れたので、保護部材と包装袋を固定又は接着等する必要がなく、特に、固定又は接着等をする必要がないため、それらの工程を削減しコスト低下を行なうと同時に、曲がり時に保護部材と包装袋の位置がずれることで曲げ応力集中を防ぐことも可能である。また、袋体を透明にすれば中身の包装袋が見える。上記の作用効果は生じている。
【００１１】
請求項６に記載の発明は、請求項４又は請求項５に記載の包装部材を添付したことを特徴とする冊子体である。
請求項４又は請求項５に記載の包装部材を添付したので冊子体を読む時、該包装部材が２方向（雑誌等が左右に開く場合は左右方向）になだらかに山型になり、保護部材のため突っ張ってなだらかな山型にならない頁が生じない。よって、どの頁も読みにくいということがない。
【００１２】
【発明の実施の形態】
実施の形態を図面を用いて詳細に説明する。
図１は本発明の保護部材１に包装袋２をセットするための説明図である。保護部材１は一点鎖線の位置の下側に切込み線を有し、包装袋２を上矢印のように保護部材１の中央にのせ、円弧状の矢印のように保護部材１を折り畳み図２にあるような包装部材７とする。
【００１３】
図３は図１を正面から見た説明図である。基材部９に主保護部１０を設けてあり、該主保護部１０は切欠き３を有する。
図４は図１のＡ−Ａ切断面のみを表した説明図である。保護部材１は貫通孔５を有し、該貫通孔５に包装袋２の内容物が入った部分が入り、枠部４の厚さにより積み重ねられたときの荷重から包装袋２を保護する。
【００１４】
図５、図６は図１の保護部材１の別の実施の形態である。これらは包装袋２をセットし、円弧状の矢印のように切込み線８により折り畳んだとき、セットした包装袋２の印刷部分が良く見えるようになる。これは強度との関係で適宜の形状を選択すればよい。
【００１５】
図７は保護部材１に包装袋２をセットした包装部材７を透明袋１２に入れる状態の説明図である。
丁度包装部材７が入る大きさに合わせれば、特に保護部材１と包装袋２との貼着等を省略できる効果がある。
図８は包装袋２を３つ連接したものを包装部材７にしたものを示す説明図である。包装袋２を２連接したものと同様に切欠き３の部分で左右に曲がる。
【００１６】
図９は本１３に包装部材７を透明袋１２に入れて貼着したものである。また、本１３の上下の中央線１４より上側に貼着したものである。このように上下の中央線１４よりどちらかに寄せてあることにより、反転して積み重ねたとき、バランスが取れる。
【００１７】
【実施例】
以下図面を用いて実施例を説明する。
＜実施例１＞
図１に示した包装袋２としてシャンプーとリンスを詰めたものを用いた。寸法は６０ｍｍ×１１５ｍｍで周囲に６ｍｍのシール部があるものを用いた。内容物のある部分の厚さは０．９ｍｍであった。保護部材１として厚さ０．２ｍｍの厚紙を打ち抜き、それに１ｍｍのボール紙を打ち抜いたものを貼り合わせ切欠き３を作ると共に、裏側より切込み線８を設けた。この保護部材１と前記包装袋２を図２のように周囲を貼着して一体として、図９の本１３に天地方向に切込み３が平行（縦位置）になるように貼着した。
本を手に取って読んでも、違和感なく良好であった。
【００１８】
【発明の効果】
請求項１に記載の発明は、保護部材が前後又は左右の２方向に曲がるため、手にとって雑誌等の冊子体を読む際、頁が両方向になだらかに山型になり、保護部材のため突っ張ってなだらかな山型にならない頁が生じない。また、シャンプー、リンス等の大容量サンプルを添付する位置も制限不要となる。
【００１９】
請求項２に記載の発明は、包装袋のシール部分に保護部材の主保護部が接触し、内容物が貫通孔部分に位置するので、冊子体の中に綴じ込んでも圧がかからず破袋等することがない。そして、包装袋の連接部に切欠き部があるので保護部材が前後又は左右の２方向に曲がり、上記の効果がある。
【００２０】
請求項３に記載の発明は、強度を保ちながら包装袋の印刷された部分をより見えるようにする効果がある。
【００２１】
請求項４に記載の発明は、保護部材と包装袋を一体化して包装部材としたので、２方向に曲がる包装部材が得られ、上記の作用効果が得られる。
【００２２】
請求項５に記載の発明は、保護部材と包装袋を袋体に入れたので、保護部材と包装袋を固定又は接着等する必要がなく、特に、固定又は接着等をする必要がないため、それらの工程を削減しコスト低下を行なうと同時に、曲がり時に保護部材と包装袋の位置がずれることで曲げ応力集中を防ぐことも可能である。また、袋体を透明にすれば中身の包装袋が見える。上記の作用効果は生じている。
【００２３】
請求項６に記載の発明は、請求項４又は請求項５に記載の包装部材を添付したので冊子体を読む時、該包装部材が２方向（雑誌等が左右に開く場合は左右方向）になだらかに山型になり、保護部材のため突っ張ってなだらかな山型にならない頁が生じない。よって、どの頁も読みにくいということがない。
【図面の簡単な説明】
【図１】本発明の包装部材の部品を分解して示した説明図である。
【図２】図１の包装部材をセットして包装部材とした状態を示す説明図である。
【図３】本発明の保護部材を正面から見た説明図である。
【図４】図１の保護部材をＡ−Ａ面切断した切断面を示す説明図である。
【図５】本発明の保護部材ぼ別の実施の形態を示す説明図である。
【図６】本発明の保護部材ぼ別の実施の形態を示す説明図である。
【図７】本発明の包装部材を透明袋に入れる状態を示す説明図である。
【図８】本発明の包装部材の別の実施の形態を示す説明図である。
【図９】本発明の包装部材を本に添付した場合の説明図である。
【符号の説明】
１…保護部材  ２…包装袋  ３…切欠き  ４…枠部  ５…貫通孔  ６…連接部
７…包装部材  ８…切込み  ９…基材部  １０…主保護部  １２…透明袋  １３…本  １４…上下中央線
【図１】
0004198280.tif 000002
【図２】
0004198280.tif 000003
【図３】
0004198280.tif 000004
【図４】
0004198280.tif 000005
【図５】
0004198280.tif 000006
【図６】
0004198280.tif 000007
【図７】
0004198280.tif 000008
【図８】
0004198280.tif 000009
【図９】
0004198280.tif 000010